(57)【要約】【課題】電気集塵装置の高圧電源回路の安価かつ小型化を図ることができる電気集塵装置を提供することを目的とする。【解決手段】放電電極１と接地電極２とを空気の流れ方向に平行に積層配置し、空気中の浮遊粒子状物質を帯電させる帯電部３と、高圧印加極板４と接地極板５とを空気の流れ方向に平行に積層配置し前記帯電部３で帯電された空気中の浮遊粒子状物質を捕集する集塵部６と、前記帯電部３と前記集塵部６に高圧を印加する高圧印加手段とを備え、高圧印加手段は一つの高圧電源７で構成する。【選択図】図１
2009274036.tif 000002
【特許請求の範囲】
【請求項１】
放電電極と接地電極とを空気の流れ方向に平行に積層配置し、空気中の浮遊粒子状物質を帯電させる帯電部と、高圧印加極板と接地極板とを空気の流れ方向に平行に積層配置し前記帯電部で帯電された空気中の浮遊粒子状物質を捕集する集塵部と、前記帯電部と前記集塵部に高圧を印加する高圧印加手段とを備え、高圧印加手段は一つの高圧電源で構成した電気集塵装置。
【請求項２】
帯電部の電流を検出する帯電部電流検出手段と、集塵部の電流を検出する集塵部電流検出手段を高圧電源の高圧印加側に設置した請求項１記載の電気集塵装置。
【請求項３】
帯電部電流検出手段と集塵部電流検出手段は、ＣＴと整流回路を介して制御部へ接続した請求項１〜２のいずれかに記載の電気集塵装置。
【請求項４】
帯電部電流検出手段と集塵部電流検出手段は、直流用ＣＴを介して制御部に接続した請求項１〜２のいずれかに記載の電気集塵装置。
【請求項５】
帯電部電流検出手段と集塵部電流検出手段は、電流検出抵抗と高耐圧のＤＣ−ＤＣコンバータを介して制御回路に接続した請求項１〜２のいずれかに記載の電気集塵装置。
【請求項６】
制御部は、帯電部と集塵部それぞれに電流制限値を設定し、帯電部と集塵部のいずれか一方の電流値が前記電流制限値に達したときに前記電流制限値を維持するように高圧印加手段の出力電圧を低減させる制御手段を備えたことを特徴とする請求項１〜５に記載の電気集塵装置。
【請求項７】
制御部は、帯電部と集塵部の計測電流値のうちいずれが異常かを判断する判断手段を備えた請求項１〜６記載の電気集塵装置。
【請求項８】
制御部は、判断手段が判断した異常を外部に知らしめる警報出力手段を備えた請求項７に記載の電気集塵装置。
【請求項９】
帯電部電流検出手段を高圧側に設置し、合算電流検出手段を接地側に設置した請求項１記載の電気集塵装置。
【請求項１０】
制御部は、合算電流検出手段より帯電部電流検出手段の電流値を差し引くことで、集塵部の出力電流を判定する判定手段を備えた請求項１または９記載の電気集塵装置。
【請求項１１】
集塵部電流検出手段を高圧側に設置し、合算電流検出手段を接地側に設置した請求項１記載の電気集塵装置。
【請求項１２】
制御部は、合算電流検出手段より集塵部電流検出手段の電流値を差し引くことで、帯電部の出力電流を判定する判定手段を備えた請求項１または１１記載の電気集塵装置。
【発明の詳細な説明】
【技術分野】
【０００１】
本発明は、空調及び産業分野で大気塵、室内の粉塵、ほこりなどを集塵する電気集塵装置に関する。
【背景技術】
【０００２】
従来、浮遊粒子状物質を捕集する電気集塵装置は、浮遊粒子状物質に電荷を帯びさせるための帯電部と、電荷を帯びた浮遊粒子状物質を電界の力で引き寄せ、吸引捕集する集塵部より構成されている。
【０００３】
帯電部では放電電極と接地電極の対となる２つの電極が空気の流れる方向に対して平行に積層配置されている。放電電極と接地電極との間に高圧を印加することにより、両電極間にコロナ電界が構成され、コロナ放電電流が流れる。そのコロナ電界内を浮遊粒子状物質が通過すると、コロナ電界内を移動するイオンと浮遊粒子状物質が衝突することで、浮遊粒子状物質が電荷を帯びる。
【０００４】
集塵部では高圧印加極板と接地極板とが対の状態で、空気の流れる方向に対して平行に積層配置されている。高圧印加極板と接地極板との間に高圧を印加することで両極板間に電界が形成される。その電界内を帯電部で荷電された浮遊粒子状物質が通過すると、電界の力により浮遊粒子状物質が帯電電荷とは逆の極性の極板に吸い寄せられて吸着し、浮遊粒子状物質が集塵極板に捕集される。
【０００５】
帯電部、集塵部からなる２段構成の電気集塵装置では、帯電部、集塵部の出力電圧、出力電流をそれぞれ個別に制御するために、通常は帯電部、集塵部それぞれに高圧回路、出力電圧制御回路、出力電流制御回路を個別に用意する必要がある。
【０００６】
従来このような電気集塵装置としては、図３に示すような電気集塵装置がある。
【０００７】
図３の電気集塵装置は、帯電部１０３は放電電極１０１と接地電極１０２より構成されており、帯電部１０３の専用電源としての高圧電源１０４がある。また集塵部１０７は高圧印加極板１０５と接地極板１０６より構成されており、集塵部１０７の専用電源としての高圧電源１０８がある。
【０００８】
帯電部１０３と集塵部１０７への出力電圧、出力電流は高圧電源１０４、高圧電源１０８により個別に制御されている。なお通常は、高圧電源１０４と高圧電源１０８の出力電流の検出に関しては、耐圧上設置が容易であることから接地側に電流検出機能が設置されている（特許文献１参照）。
【特許文献１】特開平１１−１１４４４３号公報
【発明の開示】
【発明が解決しようとする課題】
【０００９】
このような従来の電気集塵装置では、帯電部と集塵部の２段構成の集塵装置においては、帯電部、集塵部の高圧出力を個別に制御するために、帯電部、集塵部それぞれに高圧回路が必要となり、高電圧を出力するための高圧電源、及びそれに付随する制御回路が帯電部、集塵部それぞれに個別に必要となる。これにより電気集塵装置の高圧電源回路は大形かつ高価になる傾向があるという課題があった。
【００１０】
本発明は、このような従来の課題を解決するもので、電気集塵装置の高圧電源回路の安価かつ小型化を図ることができる電気集塵装置を提供することを目的とする。
【課題を解決するための手段】
【００１１】
前記課題を解決するために、本発明の電気集塵装置は、放電電極と接地電極とを空気の流れ方向に平行に積層配置し、空気中の浮遊粒子状物質を帯電させる帯電部と、高圧印加極板と接地極板とを空気の流れ方向に平行に積層配置し前記帯電部で帯電された空気中の浮遊粒子状物質を捕集する集塵部と、前記帯電部と前記集塵部に高圧を印加する高圧印加手段とを備え、高圧印加手段は一つの高圧電源で構成したものである。
【００１２】
この手段により、帯電部と集塵部個別に用意していた高圧回路を高圧電源１個で構成することにより、電気集塵装置の高圧電源回路の安価かつ小型化を図ることができるという効果のある電気集塵装置が得られる。
【００１３】
また、他の手段は、帯電部の電流を検出する帯電部電流検出手段と、集塵部の電流を検出する集塵部電流検出手段を高圧電源の高圧印加側に設置したものである。
【００１４】
この手段により、高圧電源１個の構成でも帯電部、集塵部の電流検出を高圧側に設置することにより、帯電部、集塵部個別に出力電流を検出することができるという効果のある電気集塵装置が得られる。
【００１５】
また、他の手段は、帯電部電流検出手段と集塵部電流検出手段は、交流ＣＴと整流回路を介して制御部へ接続したものである。
【００１６】
この手段により、高圧側に設置する電流検出回路と制御回路の絶縁耐圧を交流ＣＴで確保することができるという効果のある電気集塵装置が得られる。
【００１７】
また、他の手段は、帯電部電流検出手段と集塵部電流検出手段は、直流用ＣＴを介して制御部に接続したものである。
【００１８】
この手段により、高圧側に設置する電流検出回路と制御回路の絶縁耐圧を直流ＣＴで確保することができるという効果のある電気集塵装置が得られる。
【００１９】
また、他の手段は、帯電部電流検出手段と集塵部電流検出手段は、電流検出抵抗と高耐圧のＤＣ−ＤＣコンバータを介して制御回路に接続したものである。
【００２０】
この手段により、高圧側に設置する電流検出回路と制御回路の絶縁耐圧を高耐圧のＤＣ−ＤＣコンバータによりで確保することができるという効果のある電気集塵装置が得られる。
【００２１】
また、他の手段は、制御部は、帯電部と集塵部それぞれに電流制限値を設定し、帯電部と集塵部のいずれか一方の電流値が前記電流制限値に達したときに前記電流制限値を維持するように高圧印加手段の出力電圧を低減させる制御手段を備えたものである。
【００２２】
この手段により、帯電部、集塵部それぞれに電流制限値を設け個別に電流を検出することで、帯電部、集塵部いずれかの出力電流が制限値に達したときに、帯電部、集塵部の出力電圧を同時に低下させることで、異常時でも帯電された浮遊粒子状物質がそのまま集塵装置外部に流出させないという効果のある電気集塵装置が得られる。
【００２３】
また、他の手段は、制御部は、帯電部電流検出手段と集塵部電流検出手段の計測電流値のうちいずれが異常かを判断する判断手段を備えたものである。
【００２４】
この手段により、帯電部、集塵部の出力電流を個別に検出できるため、帯電部、集塵部の異常を個別に判断し、警報出力手段を介して外部に出力できるという効果のある電気集塵装置が得られる。
【００２５】
また、他の手段は、制御部は、判断手段が判断した異常を外部に知らしめる警報出力手段を備えたものである。
【００２６】
この手段により、帯電部、集塵部の出力電流を個別に検出できるため、帯電部、集塵部の異常を個別に判断し、警報出力手段を介して外部に出力できるという効果のある電気集塵装置が得られる。
【００２７】
また、他の手段は、帯電部電流検出手段を高圧側に設置し、帯電部と集塵部の合計電流を検出する合算電流検出手段を接地側に設置したものである。
【００２８】
この手段により、帯電部は高圧側に電流検出手段を配置していなくても出力電流を判定することができるという効果のある電気集塵装置が得られる。
【００２９】
また、他の手段は、制御部は、合算電流検出手段より帯電部電流検出手段の電流値を差し引くことで、集塵部の出力電流を判定する判定手段を備えたものである。
【００３０】
この手段により、帯電部電流検出手段を高圧側に配置し、合算電流検出手段をもう一つ接地側に配置し、接地側で測定した帯電部と集塵部の合算電流値より高圧側に配置した帯電部電流検出手段の電流値を差し引くことで、集塵部には電流検出手段を配置しなくても出力電流を判定することができるという効果のある電気集塵装置が得られる。
【００３１】
また、他の手段は、集塵部電流検出手段を高圧側に設置し、合算電流検出手段を接地側に設置したものである。
【００３２】
この手段により、集塵部は高圧側に電流検出手段を配置していなくても出力電流を判定することができるという効果のある電気集塵装置が得られる。
【００３３】
また、他の手段は、制御部は、合算電流検出手段より集塵部電流検出手段の電流値を差し引くことで、帯電部の出力電流を判定する判定手段を備えたものである。
【００３４】
この手段により、集塵部電流検出手段を高圧側に配置し、合算電流検出手段を一つ接地側に配置し、接地側で測定した帯電部と集塵部の合算電流値より高圧側に配置した集塵部電流検出手段の電流値を差し引くことで、帯電部には電流検出手段を配置しなくても出力電流を判定することができるという効果のある電気集塵装置が得られる。
【発明の効果】
【００３５】
本発明の電気集塵装置によれば、放電電極と接地電極とを空気の流れ方向に平行に積層配置し、空気中の浮遊粒子状物質を帯電させる帯電部と、高圧印加極板と接地極板とを空気の流れ方向に平行に積層配置し前記帯電部で帯電された空気中の浮遊粒子状物質を捕集する集塵部と、前記帯電部と前記集塵部に高圧を印加する高圧印加手段とを備え、高圧印加手段は一つの高圧電源で構成し、高圧印加手段を構成する一つの高圧電源から帯電部と集塵部の両方へ高圧を印加して電気集塵を行うことで、帯電部と集塵部個別に用意していた高圧回路を高圧電源１個で構成することにより、電気集塵装置の高圧電源回路の安価かつ小型化を図ることができるという効果のある電気集塵装置を提供することができる。
【発明を実施するための最良の形態】
【００３６】
請求項１記載の発明は、放電電極と接地電極とを空気の流れ方向に平行に積層配置し、空気中の浮遊粒子状物質を帯電させる帯電部と、高圧印加極板と接地極板とを空気の流れ方向に平行に積層配置し前記帯電部で帯電された空気中の浮遊粒子状物質を捕集する集塵部と、前記帯電部と前記集塵部に高圧を印加する高圧印加手段とを備え、高圧印加手段は一つの高圧電源で構成した電気集塵装置であって、高圧印加手段を構成する一つの高圧電源から帯電部と集塵部の両方へ高圧を印加して電気集塵を行う作用を有する。
【００３７】
また、請求項２記載の発明は、帯電部の電流を検出する帯電部電流検出手段と、集塵部の電流を検出する集塵部電流検出手段を高圧電源の高圧印加側に設置した電気集塵装置であって、一つの高圧電源の高圧側に帯電部電流検出手段と集塵部電流検出手段を設置して、出力電流は、帯電部、集塵部を個別に検出することができる作用を有する。
【００３８】
また、請求項３記載の発明は、帯電部電流検出手段と集塵部電流検出手段は、交流ＣＴと整流回路を介して制御部へ接続した電気集塵装置であって、交流ＣＴにより絶縁耐圧を確保しながら整流回路で整流した電流を制御回路は帯電部および集塵部に流れる電流を直流電流として電流を検知する作用を有する。
【００３９】
また、請求項４記載の発明は、帯電部電流検出手段と集塵部電流検出手段は、直流用ＣＴを介して制御部に接続した電気集塵装置であって、直流ＣＴにより絶縁耐圧を確保しながら制御回路は帯電部および集塵部へ流れる直流電流を検知する作用を有する。
【００４０】
また、請求項５記載の発明は、帯電部電流検出手段と集塵部電流検出手段は、電流検出抵抗と高耐圧のＤＣ−ＤＣコンバータを介して制御回路に接続した電気集塵装置であって、電流検出抵抗と高耐圧のＤＣ−ＤＣコンバータにより絶縁耐圧を確保しながら制御回路は帯電部および集塵部へ流れる直流電流を検知する作用を有する。
【００４１】
また、請求項６記載の発明は、制御部は、帯電部と集塵部それぞれに電流制限値を設定し、帯電部と集塵部のいずれか一方の電流値が前記電流制限値に達したときに前記電流制限値を維持するように高圧印加手段の出力電圧を低減させる制御手段を備えたことを特徴とする電気集塵装置であって、帯電部、集塵部それぞれに電流制限値を設け個別に電流を検出することで、帯電部、集塵部いずれかの出力電流が制限値に達したときに、帯電部、集塵部の出力電圧を同時に低下させることで、異常時でも帯電された浮遊粒子状物質がそのまま集塵装置外部に流出させない作用を有する。
【００４２】
また、請求項７記載の発明は、制御部は、帯電部電流検出手段と集塵部電流検出手段の計測電流値のうちいずれが異常かを判断する判断手段を備えた電気集塵装置であって、帯電部、集塵部の出力電流を個別に検出できるため、帯電部、集塵部の異常を個別に判断し、警報出力手段を介して外部に出力できる作用を有する。
【００４３】
また、請求項８記載の発明は、制御部は、判断手段が判断した異常を外部に知らしめる警報出力手段を備えた電気集塵装置であって、帯電部、集塵部の出力電流を個別に検出できるため、帯電部、集塵部の異常を個別に判断し、警報出力手段を介して外部に出力できる作用を有する。
【００４４】
また、請求項９記載の発明は、帯電部電流検出手段を高圧側に設置し、帯電部と集塵部の合計電流を検出する合算電流検出手段を接地側に設置した請求項１記載の電気集塵装置であって、帯電部電流検出手段と合算電流検出手段で電流を検知して、帯電部および集塵部の動作状態を検知する作用を有する。
【００４５】
また、請求項１０記載の発明は、制御部は、合算電流検出手段より帯電部電流検出手段の電流値を差し引くことで、集塵部の出力電流を判定する判定手段を備えた請求項１または９記載の電気集塵装置であって、合算電流検知手段で検出した電流値から帯電部電流検出手段で検出した電流値を引くことで、集塵部に流れる電流を検出することとなる作用を有する。
【００４６】
また、請求項１１記載の発明は、集塵部電流検出手段を高圧側に設置し、帯電部集塵部合算電流検出手段を接地側に設置した電気集塵装置であって、集塵部電流検出手段と合算電流検出手段で電流を検知して、帯電部および集塵部の動作状態を検知する作用を有する。
【００４７】
また、請求項１２記載の発明は、制御部は、帯電部集塵部合算電流検出手段より集塵部電流検出手段の電流値を差し引くことで、帯電部の出力電流を判定する判定手段を備えた電気集塵装置であって、合算電流検知手段で検出した電流値から集塵部電流検出手段で検出した電流値を引くことで、帯電部に流れる電流を検出する作用を有する。
【００４８】
以下、本発明の実施の形態について図面を参照しながら説明する。
【００４９】
（実施の形態１）
図１は本発明の実施の形態１による電気集塵装置の構成を示している。図１に示すように、放電電極１と接地電極２より構成される帯電部３と、高圧印加極板４と接地極板５より構成される集塵部６と、帯電部３と集塵部６に高圧を印加するための高圧印加手段としての高圧電源７と、この高圧電源７の高圧側にそれぞれ接続した帯電部３の電流値を検出する帯電部電流検出手段としての帯電部電流検出回路８と集塵部６の電流を検出する集塵部電流検出手段としての集塵部電流検出回路９と、帯電部電流検出回路８と集塵部電流検出回路９と接続され、それぞれ放電電極１と高圧印加極板４に接続されている。そして、高圧電源の接地側と接地電極２と接地極板５は、電気集塵装置本体に直接アース接続されている。
【００５０】
高圧電源７の出力電圧を制御する制御手段としての制御回路１０、帯電部電流検出回路８と集塵部電流検出回路９と接続され、帯電部３と集塵部６の異常を判断する判断手段としての判断回路１１と、この判断回路１１と接続された警報出力手段としての警報出力回路１２より構成されている。
【００５１】
放電電極１と接地電極２よりなる帯電部３は、空気の流れと平行に積層配置されている。また、帯電部３の次段に高圧印加電極４と接地極板５よりなる集塵部６が空気の流れと平行に積層配置されている。浮遊粒子上物質を含む空気の流れとしては、帯電部３を通過した後に集塵部６を通ることにより浮遊粒子状物質が除去され、清浄空気となって集塵装置外に流出する配置構成となっている。
【００５２】
上記構成により、放電電極１に高電圧が印加されると、放電電極１と接地電極２との間にコロナ放電が発生し、コロナ放電電流が流れる。コロナ放電電流が流れる放電電極１と接地電極２との間を浮遊粒子状物質が追加すると、放電電極１と接地電極２との間に流れるイオンと浮遊粒子状物質が衝突することで、浮遊粒子状物質が電荷を帯びる。
【００５３】
高圧印加極板に高電圧を印加すると高圧印加極板４と接地極板５との間に電界が発生する。帯電部３を通過する際に荷電された浮遊粒子状物質が集塵部６を通過する際、集塵部６内に発生している電界の作用により荷電された浮遊粒子状物質は、荷電極性とは逆の極性の極板に吸引、捕集される。これにより浮遊粒子状物質が除去される。
【００５４】
帯電部３と集塵部６の出力電流の検出に関して、検出回路は耐圧上設置が容易であることから、通常は接地側の電流が流れるラインに挿入される。接地側は接地されているため低圧の回路となり、耐圧面でも有利となる。産業設備用集塵装置の構造としては、帯電部３、集塵部６は集塵装置をフレームアースに固定する都合上、接地側は必ず金属で接続され同電位となる構造となる。よって接地側に電流検出回路を配置し、帯電部、集塵部の電流をそれぞれ個別に検出する必要がある場合は、必ず個別に電流検出回路を設置する必要があり、高圧回路、制御回路が帯電部、集塵部それぞれ個別に必要となる。この場合、高圧回路は２出力となるため、大型かつ高価となる傾向がある。そこで高圧回路一組で帯電部３、集塵部６個別に出力電流を検出する方法を考える。帯電部３、集塵部６へはそれぞれ個別に電圧を印加する必要があるので、帯電部３の高圧ラインと集塵部６の高圧ラインは必ず絶縁されている必要がある。そこで高圧側に電流検出回路を設置すると、高圧回路が一組であっても帯電部３、集塵部６の電流値をそれぞれ個別に検出することが可能となる。高圧ラインに帯電部電流検出回路８、集塵部電流検出回路９を設置するにあたり、低圧回路である制御回路１０、判断回路１１との絶縁が必須となるが、帯電部電流検出回路８、集塵部電流検出回路９に交流ＣＴと整流回路、または直流ＣＴ、または電流検出抵抗と高耐圧ＤＣ−ＤＣコンバータを介して制御回路１０あるいは判断回路１１と接続することで、高圧回路と低圧回路の絶縁を確保することができる。
【００５５】
帯電部３と集塵部６の出力電流値にそれぞれ電流制限値を設け、帯電部電流検出回路８と集塵部電流検出回路９からの電流検出値を制御回路１０で監視するようにする。制御回路１０で帯電部３、集塵部６のいずれかの電流値が電流制限値に達した場合、制御回路１０により高圧電源７からの出力電圧を低減させる。高圧回路が一組なので、いずれかの電流値が制限値に達して出力電圧を低減させる時点で、帯電部３と集塵部６の出力電圧が同時に低下する。
【００５６】
従来の集塵装置では、帯電部のみ正常で集塵部が異常である場合、帯電部で荷電された浮遊粒子状物質が集塵部異常であるため捕集されず、荷電された状態の浮遊粒子状物質がそのまま集塵装置外に流出する。この場合、浮遊粒子状物質が荷電された状態であるため、建築物の壁面に静電気力がある場合、そこの吸い寄せられ付着し、壁面汚れの原因となる。本発明では高圧回路が一つであるために帯電部３と集塵部６のいずれかに異常が発生した場合、必ず両方の出力電圧が低下する。これにより出力異常時は浮遊粒子状物質が荷電されることがなくなるため、荷電された粒子がそのまま集塵装置外に抜けていくことがなくなる。
【００５７】
帯電部電流検出回路８、集塵部電流検出回路９を判断回路１１と接続し、判断回路１１と警報出力回路１２を接続する。
【００５８】
判断回路１１で帯電部３、集塵部６の異常検出電流値をそれぞれ設定し、帯電部３、集塵部６のいずれかの電流値が異常検出電流値に達した時に判断回路１１で帯電部３、集塵部６いずれの異常かを検出し、警報出力回路１２より外部に対して警報を出力する。
【００５９】
これにより高圧回路１つでも帯電部３か集塵部６のいずれが異常かを特定することができ、以上部位を外部に対して出力することができる。
【００６０】
なお、本実施の形態では、帯電部３と集塵部６に印加する電圧を同じものとして扱ったが、図２に示すように抵抗器１５、１６を配置して電圧を分圧する電圧調整器１７を高圧電源７の出力へ接続して、他方の電圧を分圧することで帯電部３と集塵部６に個別の電圧を印加することができ、一つの高圧電源７で高圧印加手段を構成することができる。
【００６１】
また、本実施の形態の高圧電源７は、高圧電源を用いたものでもその作用効果に相違はない。
【００６２】
（実施の形態２）
図３は本発明の実施の形態２による電気集塵装置の構成を示している。図に示すように、放電電極１と接地電極２より構成される帯電部３、高圧印加極板４と接地極板５より構成される集塵部６、帯電部３と集塵部６に高圧を印加するための高圧印加手段としての高圧電源７、帯電部３の電流値を検出する帯電部電流検出回路８、接地側に接続して帯電部と集塵部の合計電流を検出する合算電流検出手段１３、帯電部電流検出回路８と帯電部集塵部の合算電流検出回路１３とに接続された判定手段としての判定回路１４より構成されている。
【００６３】
判定回路１４において合算電流検出回路１３の電流値から帯電部電流検出回路８の電流値を差し引くことで集塵部６の電流値を判定することができる。この場合、高圧ラインに挿入する電流検出回路は帯電部３側の一つですむため、高圧ライン２つに電流検出回路を挿入する場合と比較して、高電圧に対する耐圧の配慮が少なくて済む上に、実施の形態１の発明効果と同等の効果を得ることができる。実施の形態２では帯電部３の電流検出回路を高圧ラインに挿入しているが、集塵部６の電流検出回路を高圧ラインに挿入してもかまわない。
【産業上の利用可能性】
【００６４】
本発明は、産業設備の電気集塵装置に適用できる。
【図面の簡単な説明】
【００６５】
【図１】本発明の実施の形態１の電気集塵装置の構成図
【図２】同電圧調整器の構成図
【図３】本発明の実施の形態２の電気集塵装置の構成図
【図４】従来の電気集塵装置の構成図
【符号の説明】
【００６６】
１    放電電極
２    接地電極
３    帯電部
４    高圧印加極板
５    接地極板
６    集塵部
７    高圧電源
８    帯電部電流検出回路
９    集塵部電流検出回路
１０  制御回路
１１  判断回路
１２  警報出力回路
１３  合算電流検出回路
１４  判定回路
【図１】
2009274036.tif 000003
【図２】
2009274036.tif 000004
【図３】
2009274036.tif 000005
【図４】
2009274036.tif 000006